(57)【特許請求の範囲】
【請求項１】
上下方向に延びる軸芯を有する上ヒンジ部に支持される上ドア部と、
上下方向に延びる軸芯を有する下ヒンジ部に支持される下ドア部と、を備える上下分割ドアであって、
前記上ドア部と前記下ドア部との間には、前記上ドア部及び前記下ドア部を一体に連結する連結固定手段が設けられており、
前記連結固定手段は、
前記下ドア部の上端面側に埋設された引掛け部と、
前記上ドア部の下端面側に埋設された収容部に収容され、前記引掛け部に引っ掛かった第１の姿勢から引っ掛かりを解除した第２の姿勢まで可動し、前記第１の姿勢で前記引掛け部を前記上ドア部に向けて引き寄せる引寄せ機構を有するフック部と、を備え、
前記上ドア部に対して前記下ドア部を引き寄せた状態であって、且つ、前記上ドア部と前記下ドア部との間に押圧力を発生させた状態で、前記上ドア部及び前記下ドア部を一体に連結し、
前記フック部は、
前記上ドア部の表面に垂直な回転軸と、
前記上ドア部の表面に平行な平面上で回転して前記引掛け部に引っ掛かる平板状のアームと、を有することを特徴とする上下分割ドア。
【請求項２】
前記引寄せ機構は、
前記フック部の基端部に連結されて前記上ドア部に枢支される回転中心部として機能する前記回転軸と、
該回転中心部から突出して設けられて前記引掛け部に引っ掛かる前記アームと、を備え、
前記アームは、前記第１の姿勢において前記引掛け部に対向又は当接する面に形成される円弧状の円弧面部を有し、
前記円弧面部の先端部と前記回転中心部の回転中心軸線までの距離が当該回転中心軸線から前記引掛け部までの距離よりも大きく設定されると共に、前記円弧面部の基端部と前記回転中心軸線までの距離が、当該回転中心軸線から前記引掛け部までの距離よりも小さく設定され、且つ、前記先端部と前記基端部とを円弧状に連結することによって前記円弧面部が形成され、
前記回転中心軸線からの前記円弧面部の回転半径は、前記アームの先端から基端に向かって徐々に小さくなることを特徴とする請求項１に記載の上下分割ドア。
【請求項３】
前記引掛け部には、前記円弧面部に対向／当接する位置に隆起部が設けられていることを特徴とする請求項２に記載の上下分割ドア。
【請求項４】
前記上ドア部の下端部と前記下ドア部の上端部のいずれか一方には、当該一方に係るドア部の厚さよりも小さい厚さを有する突出部が一側部から他側部に亘って設けられ、いずれか他方には、前記上ドア部及び前記下ドア部を一体とさせた状態で前記突出部を収容可能な欠込み部が一側部から他側部に亘って設けられており、
前記上ドア部の下端面から前記下ドア部の上端面に亘って前記連結固定手段が設けられていることを特徴とする請求項１〜３のいずれか一項記載の上下分割ドア。
【請求項５】
前記上ドア部と前記下ドア部のいずれか一方には、前記上ドア部及び前記下ドア部を一体とさせた状態で、前記上ドア部の下端部と前記下ドア部の上端部との間の継ぎ目を覆うカバー部が設けられていることを特徴とする請求項１〜３のいずれか一項記載の上下分割ドア。
【請求項６】
回転方向における前記上ドア部と前記下ドア部との位置を一致させることで、前記上ドア部と前記下ドア部とを連結可能とすると共に、前記上ドア部と前記下ドア部の何れか一方をいずれか他方に対して相対的に回転させることで連結状態を解除可能とする簡易係脱機構を更に備えることを特徴とする請求項１〜５のいずれか一項記載の上下分割ドア。
【請求項７】
前記簡易係脱機構は、前記上ドア部の下端部と前記下ドア部の上端部のいずれか一方に設けられたマグネット部と、いずれか他方に設けられた金属製のマグネット受け部と、を備えていることを特徴とする請求項６に記載の上下分割ドア。
【発明の詳細な説明】
【技術分野】
【０００１】
本発明は、上ドア部及び下ドア部を備える上下分割ドアに関する。
【背景技術】
【０００２】
建物において、風が入る窓と出る窓の大きさのバランスが悪い場合、自然通風の確保は困難なものとなる。多くの住宅では、南面に大きな窓を設ける等して風が入る側の窓はあるが、当該南面からの風に対する出る側の窓としては、一般に北側に設けられる部屋の窓が考えられるが、当該窓のみでは風の出る窓として十分とはいえない。その結果、多くの住居では風が思うように通り抜けず通風が悪い。一方で、当該北側に水廻り空間の洗面所や浴室が設けられる場合が多く、これら水廻り空間の小窓も風が抜ける側の窓として利用できれば、抜ける側の窓の総計は増えるので通風しやすくなる。そのためには、例えば洗面所のドア部が通風に用いられるが、当該ドアを開いた状態では中が見えることになり、常時開放し難い。
【０００３】
かかる問題を解決すべく、ドアを閉じた状態において通風を確保する目的で、従来、ドアの上部に回転欄間をつけた構成が知られている。この欄間を開放することによって、通風、換気を取ることができる。しかし、このような構成では、風が天井付近の室内の上方空間を流れることとなり、居住者の身体に当たりにくい。また、この種の回転欄間はドア上部に付くので、マンション住戸の如く梁が天井から露出し、天井高さがとれないような住宅建物の場合、通風換気をとるのに十分な大きさの欄間は確保されない。また、トイレ・洗面所用のドアの下部には換気ガラリを設けた構成も知られているが、通風に要する開放面積が小さく、換気にはなるが通風には寄与しにくい。また、換気ガラリの桟やルーバーに埃が溜まってしまい、また、その埃も取り難いという問題もある。
【０００４】
上述のような問題点の中、通風性を確保しうる建具として、例えば特許文献１に示すものが知られている。特許文献１には、上ドア部と下ドア部が設けられており、各ドア部が互いに独立して開閉可能な上下分割ドアが記載されており、一方のドアを開き、他方のドアを閉じることで、視認性に配慮しつつ、通性も確保することができるものとなっている。この上下分割ドアは、上ドア部の下端部と下ドア部の上端部とを突き合わせた状態で接続解除可能に接続する接続手段を備えている。
【先行技術文献】
【特許文献】
【０００５】
【特許文献１】特開２００５−３１４９５２号公報
【発明の概要】
【発明が解決しようとする課題】
【０００６】
しかしながら、上述の上下分割ドアにおける接続手段は上ドア部から下ドア部に向けて出退可能なロックピンと、該ロックピンを受ける保持筒部をしたドア部に設けた構成である。すなわち、ロックピンを保持筒部に挿入することで、ドアの回転方向に対しては、上ドア部及び下ドア部同士を一応連結することができるが、垂直方向には何ら固定されない。このため、上ドア部と下ドア部の連結時に、特に下ドア部には、ヒンジ部の位置やドアの幅によってはヒンジ部と反対側の端部（自由端側）が自重により僅かに垂れ下がることが考えられる。これによって、上ドア部と下ドア部とを連結したとしても、当該連結部間にはヒンジ部側の端部から自由端側に向けて斜め状の隙間が形成されてしまい、上下ドア部を一体としているにもかかわらずこれらの隙間から光や隙間風が漏れてしまうことが考えられる。また、当該隙間が大なるものとなると、これによってロックピンの突出位置と保持部材の穴の位置がずれてしまい、上下ドア部を連結することができないおそれもある。
【０００７】
また、上述の如きロックピン及び保持筒部による構造では、接触部の遊び（すなわち、保持筒部の内周とロックピンの外周との間の隙間）が大きく、上下ドア部を連結したとしても、ドアの回転の慣性力によって一方のドアを静止させたとしても他方のドア部はその静止に遅れて静止することとなり、これによってドアの開閉時にがたつきを生じてしまうという問題もある。
【０００８】
本発明は、このような問題を解決するためになされたものであり、上ドア部と下ドア部とをずれやがたつき等を発生させず一体として開閉することができる上下分割ドアを提供することを目的とする。
【課題を解決するための手段】
【０００９】
本発明に係る上下分割ドアは、上下方向に延びる軸芯を有する上ヒンジ部に支持される上ドア部と、上下方向に延びる軸芯を有する下ヒンジ部に支持される下ドア部と、を備える上下分割ドアであって、上ドア部と下ドア部との間には、上ドア部及び下ドア部を一体に連結する連結固定手段が設けられており、連結固定手段は、下ドア部の上端面側に埋設された引掛け部と、上ドア部の下端面側に埋設された収容部に収容され、引掛け部に引っ掛かった第１の姿勢から引っ掛かりを解除した第２の姿勢まで可動し、第１の姿勢で引掛け部を上ドア部に向けて引き寄せる引き寄せ機構を有するフック部と、を備え、上ドア部に対して下ドア部を引き寄せた状態であって、且つ、上ドア部と下ドア部との間に押圧力を発生させた状態で、上ドア部及び下ドア部を一体に連結し、フック部は、上ドア部の表面に垂直な回転軸と、上ドア部の表面に平行な平面上で回転して引掛け部に引っ掛かる平板状のアームと、を有することを特徴とする。
【００１０】
本発明に係る上下分割ドアによれば、上ドア部は上ヒンジ部に支持され、下ドア部は下ヒンジ部に支持されるため、上ドア部と下ドア部は、それぞれが独立して開閉可能である。また、連結固定手段によって、上ドア部及び下ドア部を一体に連結することができる。通風要望は季節によってかわるので、その機能が不用のときは、上ドア部と下ドア部とが一体になり簡単に普通のドアになる。連結固定手段は、上ドア部に対して下ドア部を引き寄せてこれらの間に押圧力を発生させた状態で連結させる機構である。これによって、下ドア部が垂れ下がったり、ドア部同士が前後にぐらついたりせず、静止中はもちろん開閉中も両ドア部の一方の側面同士及び他側面の側面同士を常に一致させた状態に維持することができる。以上によって、通風を得るために一方のドアを開放することができ、且つ、上ドア部と下ドア部との連結時には、これらの間でずれやがたつき等を発生させず、上ドア部と下ドア部とを一体とすることができる。
【００１１】
また、このような構成により、フック部を引掛け部に係合させ、引き寄せ機構により引掛け部を引き寄せるだけで容易に下ドア部を上ドア部に引き寄せた状態で固定することができる。
【００１２】
本発明に係る上下分割ドアにおいて、引寄せ機構は、フック部の基端部に連結されて上ドア部に枢支される回転中心部として機能する回転軸と、該回転中心部から突出して設けられて引掛け部に引っ掛かるアームと、を備え、アームは、第１の姿勢において引掛け部に対向又は当接する面に形成される円弧状の円弧面部を有し、円弧面部の先端部と回転中心部の回転中心軸線までの距離が当該回転中心軸線から引掛け部までの距離よりも大きく設定されると共に、円弧面部の基端部と回転中心軸線までの距離が、当該回転中心軸線から引掛け部までの距離よりも小さく設定され、且つ、先端部と基端部とを円弧状に連結することによって円弧面部が形成され、回転中心軸線からの前記円弧面部の回転半径は、アームの先端から基端に向かって徐々に小さくなることが好ましい。当該フック部を回転させることにより、フック部を引掛け部に引掛けた第１の姿勢と解除した第２の姿勢との間で容易に姿勢変更をすることができるものとなる。また、円弧面部の先端部と回転中心部の回転中心軸線までの距離が当該回転中心軸線から引掛け部までの距離よりも大きく設定されるため、アームがスムーズに引掛け部に引っ掛かる。一方、円弧面部の基端部と回転中心軸線までの距離が、当該回転中心軸線から引掛け部までの距離よりも小さく設定されるため、引掛け部を円弧面部の基端部側に当接させることで、円弧面部が引掛け部を持ち上げる状態となる。また、このように設定された先端部と基端部とを連結することによって円弧面部が形成されており、更に、円弧面部の回転中心軸線からの回転半径は、アームの先端から基端に向かって徐々に小さくなる。円弧面部がこのように構成されることにより、引掛け部にフック部を引掛けた状態でさらにフック部を引掛け方向に回転させると、円弧面部が引掛け部に当接することとなる。その後、さらにフック部を回転させることにより、円弧面部が引掛け部を持ち上げることとなる。これによって、引掛け部がフック部の回転中心部に引き寄せられ、ひいては下ドア部が上ドア部に引き寄せられることとなる。
【００１３】
本発明に係る上下分割ドアにおいて、引掛け部には、円弧面部に対向／当接する位置に隆起部が設けられていることが好ましい。当該隆起部が円弧面部に接触するため、当該引掛け部と円弧面部との接触面積が増大することとなり、これにより、より容易に（小さな力で）円弧面部による引掛け部の持ち上げ状態を実現できることとなる。
【００１４】
本発明に係る上下分割ドアにおいて、上ドア部の下端部と下ドア部の上端部のいずれか一方には、当該一方に係るドア部の厚さよりも小さい厚さを有する突出部が一側部から他側部に亘って設けられ、いずれか他方には、上ドア部及び下ドア部を一体とさせた状態で突出部を収容可能な欠込み部が一側部から他側部に亘って設けられており、上ドア部の下端面から下ドア部の上端面に亘って連結固定手段が設けられていることが好ましい。このような構成によって、上ドア部と下ドア部とを一体に連結した状態において、上ドア部と下ドア部の間の隙間がクランク状を呈することとなり、当該隙間から光の漏れが防止され、すきま風が著しく抑制される。また、突出部と欠込み部とが係合して上下のドア部は一体となるため、一方のドア部を当該欠込み部を超えて他方のドア部よりも向こう側へ回転させることができない。これによって、一方のドア部の回転具合を調整することで、他方のドア部の回転範囲を限定することができ、２つのドア部が全く無関係に全範囲に亘って回転することを防止することができる。
【００１５】
本発明に係る上下分割ドアにおいて、上ドア部と下ドア部のいずれか一方には、上ドア部及び下ドア部を一体とさせた状態で、上ドア部の下端部と下ドア部の上端部との間の継ぎ目を覆うカバー部が設けられている。このような構成によって、上ドア部と下ドア部とを一体に固定した状態において、召し合わせ部の隙間から光、風などが漏れることを防止することができる。また、継ぎ目がカバー部で覆われた状態で上下のドア部は一体となるため、一方のドア部を当該カバー部を超えて他方のドア部よりも向こう側へ回転させることができない。これによって、一方のドア部の回転具合を調整することで、他方のドア部の回転範囲を限定することができ、２つのドア部が全く無関係に全範囲に亘って回転することを防止することができる。
【００１６】
本発明に係る上下分割ドアにおいて、回転方向における上ドア部と下ドア部との位置を一致させることで、上ドア部と下ドア部とを連結可能とすると共に、上ドア部と下ドア部の何れか一方をいずれか他方に対して相対的に回転させることで連結状態を解除可能とする簡易係脱機構を更に備えることが好ましい。これら上下ドア部の一体状態と分離状態とを頻繁に変更する際には、いちいち上記連結固定手段を操作することが面倒となる。しかし、このような簡易係脱機構を併せて設けることにより、容易にこれらの一時的な上下一体状態／上下分離状態を実現することができる。例えば、下ドア部が開放状態のとき（かつ下ドア部が戸当たり等に固定されている時）、簡易係脱機構によって上ドア部を下ドア部に対して連結状態とすることで、当該簡易係脱機構は、上ドア部の開放状態の維持や固定のための戸当たりの役目を果たす。
【００１７】
本発明に係る上下分割ドアにおいて、簡易係脱機構は、上ドア部の下端部と下ドア部の上端部のいずれか一方に設けられたマグネット部と、いずれか他方に設けられた金属製のマグネット受け部とを備えていることが好ましい。これによって、容易に簡易係脱機構を構成することができると共に、上下一体状態／上下分離状態の変更を容易に行うことができる。
【発明の効果】
【００１８】
本発明によれば、（通風を得るためにドアを開放しても、内部に視線を通さず、）上ドア部と下ドア部との連結時には、ずれやがたつき等を発生させず、上ドア部と下ドア部とを一体とすることができる。
【図面の簡単な説明】
【００１９】
【図１】本発明の第１実施形態に係る上下分割ドアの正面図である。
【図２】本発明の第１実施形態に係る上下分割ドアの上面図である。
【図３】図１に示すIII−III線に沿った断面図である。
【図４】図３に示すIV―IVに沿った断面図である。
【図５】図４からロックを解除した状態を示す図である。
【図６】図１に示すＶＩ−ＶＩ線に沿った断面図である。
【図７】第２実施形態に係る上下分割ドアの連結固定機構を示す断面図である。
【図８】第３実施形態に係る上下分割ドアの連結固定機構を示す断面図である。
【発明を実施するための形態】
【００２０】
以下、本発明の好適な実施形態について、図面を参照して詳細に説明する。なお、各図において同一又は相当部分には同一符号を付し、重複する説明を省略する。
【００２１】
［第１実施形態］
図１は、本実施形態に係る上下分割ドア１の正面図である。図２は、本実施形態に係る上下分割ドア１の上面図である。図３は、図１に示すIII−III線に沿った断面図である。図１においては、上下分割ドア１を部屋（洗面所、浴室など）の内側から外側へ向かって見た状態を示している。図２においては、紙面右側が部屋の内側を示し、紙面左側が部屋の外側を示している。図１においては、上ドア部３及び下ドア部６が閉められた状態が示されている。ただし、下ドア部６のみが開けられた状態が仮想線で示されている（なお、理解を容易にするため完全に開いた状態を示しているが、図２のような戸当たりＦがある場合は、それ以上開くことはできない）。図２においては、上ドア部３が閉められ、下ドア部６が開けられた状態が示されている。
【００２２】
図１及び図２に示すように、上下分割ドア１は、上ヒンジ部２と、上ヒンジ部２に支持される上ドア部３と、下ヒンジ部４と、下ヒンジ部４に支持される下ドア部６と、上ドア部３と下ドア部６とを一体に連結する連結固定部（連結固定手段）７と、上ドア部３と下ドア部６とを簡易的に連結する簡易係脱機構８と、を備えている。
【００２３】
上ドア部３及び下ドア部６は、開口部Ｈに備え付けられる開口枠を構成する一対の縦枠Ｈａ，Ｈｂのうち、縦枠Ｈｂに上ヒンジ部２及び下ヒンジ部４を介して取り付けられる。上ヒンジ部２は、上ドア部３に対して上下一対設けられており、上ドア部３の一方の側部１１ａ及び開口枠の縦枠Ｈｂに固定される。上ヒンジ部２の軸芯は上下方向に延びている。下ヒンジ部４は、下ドア部６に対して上下一対設けられており、下ドア部６の一方の側部１２ａ及び開口枠の縦枠Ｈｂに固定される。下ヒンジ部４の軸芯は上下方向に延びており、本実施形態では、上ヒンジ部２と下ヒンジ部４の軸芯の位置は一致している。
【００２４】
上ドア部３は、上ヒンジ部２の軸芯を中心として回転することによって、下ドア部６から独立して開閉可能に構成されている。下ドア部６は、下ヒンジ部４の軸芯を中心として回転することによって、上ドア部３から独立して開閉可能に構成されている。本実施形態では、上ドア部３及び下ドア部６は、部屋の内側へ向かって開放する。上ドア部３及び下ドア部６を開けた状態とすることにより、開口部Ｈの全体が開放される。上ドア部３及び下ドア部６を閉じた状態とすることにより、開口部Ｈの全体が塞がれる（図１に示す状態）。上ドア部３を開けた状態とし、下ドア部６を閉じた状態とすることにより、開口部Ｈのうち上ドア部３に対応する上側の部分が開放される。上ドア部３を閉じた状態とし、下ドア部６を開けた状態とすることにより、開口部Ｈのうち下ドア部６に対応する下側の部分が開放される（図２に示す状態）。
【００２５】
図２に示すように、上ドア部３を閉じた状態とし、下ドア部６を開けた状態とすることで、下側で部屋の通風を図ると同時に、上側を閉じておくことで外側からの視線を防止することができる。下ドア部６は、ドアの固定機能つき戸当たりＦによって動かないように固定されることが好ましい。
【００２６】
下ドア部６の高さはおよそ４００ｃｍ程度で外側からひざ下が見える程度とすることが好ましい。また、下ドア部６と上ドア部３の上下方向は、一定の比率に設定される。本実施形態では、「上ドア部３：下ドア部６＝４：１」に設定されている。本実施形態では、下ドア部６は、正面視で縦方向より横方向を大きくして横長形状に形成されている。下ヒンジ部４に連結されて回転の基端側となる一方の端部から回転によって揺動する自由端側たる他方の端部側への下ドア部６の長さが長いほど下ヒンジ部４への過重負担は大きくなり、自由端側が垂れ下がってしまうことが考えられる。従って、下ドア部６のアスペクト比は、下ヒンジ部４への負荷を考慮して設定される。
【００２７】
ラッチ１３（及びドアノブ）は、上ドア部３にのみ取り付けられている。このラッチ１３やドアノブの機構は、普通使用のドア（上ドア部３と下ドア部６が一体に連結した状態）になった場合のドア開閉に必要であるし、下ドア部６が開放状態のとき上ドア部３のみの開閉にも必要である。両ドア部３，６を一体とすると、これら両ドア部３，６の間には分割線ＤＬが入るので、その分割線ＤＬに更に横スリットＳＬ１（図３参照）を入れることで、分割線ＤＬを見えにくくしている。更に、下ドア部６の高さに合わせて上ドア部３にも複数の横スリットＳＬ２を入れることによって、分割のためにできる必然的な横スリットＳＬ１を意匠に利用し、一体化時のドア部３，６の分割を分かりにくくしている。また、上ドア部３には、目の高さ付近に開口部１４が形成される。当該開口部１4にすりガラスなどがセットされ、部屋の中の状態や照明点灯が外側から分かるように構成される。開口部１４を上ドア部３にとめる押し縁の一部は横スリットＳＬ２との意匠を施し、分割線を目立たせないための横スリットＳＬ２の意匠にあわせ、水平方向のデザインを強調している。なお、当該上下分割ドア１を個室等のドアとして用いる場合には、開口部１４を設けない構成を採用することができる。
【００２８】
図３に示すように、上ドア部３の下端部１６には、下方へ突出する突出部１７が形成されている。突出部１７は、下端部１６の下端面１６ａにおける部屋の外側の縁部に形成されている。突出部１７は、上ドア部３の厚さよりも小さい厚さを有する。下端部１６の下端面１６ａの部屋の内側の縁部及び突出部１７の部屋の外側の縁部には、前述の横スリットＳＬ１が形成されている。下ドア部６の上端部１８には、上ドア部３及び下ドア部６を一体とさせた状態において突出部１７を収容可能な欠込み部１９が形成されている。欠込み部１９は、上端部１８の部屋の外側の縁部において、突出部１７に対応する形状及び大きさに形成されている。上ドア部３と下ドア部６のそれぞれの端部断面形状を雁行型とし、上ドア部３と下ドア部６とが対向する部分を相欠きとすることで、風や光漏れを防ぐ。風や光漏れを防ぐため、突出部１７及び欠込み部１９は上ドア部３及び下ドア部６の幅方向における略全体に渡って形成されていることが好ましい。すなわち、突出部１７は上ドア部３の一方の側部１１ａから他方の側部１１ｂに亘って設けられ、欠込み部１９は下ドア部６の一方の側部１２ａから他方の側部１２ｂに亘って設けられている。相欠きの垂直接触部分は、ドア部を閉めるときにぶつかるので補強されていることが好ましい。上ドア部３が召し合わせにぶつかっても召し合わせが破損しないように補強が入っていることが好ましい。なお、本実施形態では、部屋の外側の位置で上ドア部３から下方に突出している部分を「突出部」と捕らえ、それに対応する下ドア部６の形状を「欠込み部」と捕らえて説明している。ただし、部屋の内側の位置で下ドア部６から上方に突出している部分（連結固定部７が設けられている部分）を「突出部」と捕らえ、それに対応する上ドア部３の形状を「欠込み部」と捕らえてもよい。すなわち、上ドア部３と下ドア部６が相欠きとなっていればよい。
【００２９】
図４は、図３に示すIV―IVに沿った断面図である。図５は、図４からロックを解除した状態を示す図である。連結固定部７は、上ドア部３に対して下ドア部６を引き寄せた状態であって、且つ、上ドア部３と下ドア部６との間に押圧力を発生させた状態で、上ドア部３及び下ドア部６を一体に連結する機能を有している。連結固定部７は、上ドア部３の下端面１６aと下ドア部６の上端面１８ａに亘って設けられている。図３、図４及び図５に示すように、連結固定部７は、引掛け部２１を有する下固定プレート２２と、引掛け部２１に引っ掛かるフック部２３と、フック部２３を収容する収容部２４と、収容部２４を固定する上固定プレート２６と、フック部２３の回転軸２７に回転力を付与するハンドル２８と、を備えている。下固定プレート２２は、下ドア部６の上端部１８に内装される。フック部２３、収容部２４、及び上固定プレート２６は取付時は一つの部品として構成されており、上ドア部３の下端部１６に内装される。上ドア部３及び下ドア部６を一体とした状態では、回転軸２７の一部、及びハンドル２８のみが外から見える状態となっている。
【００３０】
下固定プレート２２は、下ドア部６の幅方向に沿って延びる金具であり、上端部１８の上端面１８ａから上面２２ａが露出するように、下ドア部６の上端部１８に埋設される。下固定プレート２２は、ボルトによって下ドア部６の上端面１８ａに固定される。下固定プレート２２の中央位置には、下ドア部６の厚さ方向へ延びる引掛け部２１が形成される。引掛け部２１は、下固定プレート２２に矩形状の貫通部３１，３２を形成することによって形成される。引掛け部２１は、貫通部３１と貫通部３２との間に形成される。引掛け部２１の下面は、後述のフック部２３の円弧面部に対向／当接する位置となる。引掛け部２１の当該位置には、下方へ向かって隆起する隆起部３３が設けられる。この隆起部３３によって、フック部２３による締め付けの圧力が増し、上ドア部３と下ドア部６同士が強固に固定される。下ドア部６間には、下固定プレート２２の引掛け部２１及び貫通部３１，３２に対向する位置に空間部３４が形成される。空間部３４は、下ドア部６の上端部１８に形成される円弧状の溝によって構成される。空間部３４の円弧形状は、上ドア部３と下ドア部６とを一体とした状態において、フック部２３の回転中心軸線ＣＬを中心とすると共に、フック部２３のアームの外周部よりも大きな半径を有するような形状に設定される。これによって、下ドア部６の加工を最小限に留めて、引掛け部２１のアームが下ドア部６と接触することを防止できる。
【００３１】
収容部２４は、上ドア部３の下端部１６に埋設されている。収容部２４は、後述のフック部２３の回転中心軸線ＣＬを中心とした円形の下端部を切り欠いた形状をなしている。収容部２４はフック部２３を収容するための内部空間を有しており、フック部２３のアーム３９の出し入れができるように下端側に開口部２４ａを有している。収容部２４は、フック部２３を回転可能に支持する。これによって、フック部２３は、収容部２４を介して上ドア部３に枢支される。上固定プレート２６は、上ドア部３の幅方向に沿って延びる金具であり、下端部１６の下端面１６ａから下面２６ａが露出するように、上ドア部３の下端部１６に埋設される。上固定プレート２６は、ボルトによって上ドア部３の下端面１６ａに固定される。上固定プレート２６は、上面２６ｂに収容部２４が固定されると共に、収容部２４の開口部２４ａと対応する位置に貫通部２６ｃが形成される。上固定プレート２６は、上ドア部３及び下ドア部６を一体とした状態において、下固定プレート２２と重なりあうように、同位置、同形状に構成される。
【００３２】
フック部２３は、引掛け部２１に引っ掛かった第１の姿勢（図４に示す姿勢）から引っ掛かりを解除した第２の姿勢（図５に示す姿勢）まで可動する機能を有している。フック部２３には、第１の姿勢で引掛け部２１を上ドア部３に向けて引き寄せる引寄せ機構３６が設けられている。フック部２３は、基端部３７と、フック部２３の回転中心部として機能する回転軸２７と、引掛け部２１に引っ掛かるアーム３９と、を備えている。フック部２３は、金属プレートを勾玉状に形成することで各構成要素が一体となった金具に、回転軸２７を固定することによって構成されている。フック部２３は、上ドア部３の内部において、金属プレートの表面が上ドア部３の表面と平行となるような向きに配置される。本実施形態では、基端部３７は略円形状の形状をなしているが、第１の姿勢と第２の姿勢の切替動作中に他の部材と接触しない形状であれば特に限定されない。引寄せ機構３６は、少なくとも、回転軸２７と、アーム３９と、によって構成される。
【００３３】
回転軸２７は、基端部３７に連結されて、上ドア部３に枢支される部分である。本実施形態では、フック部２３の回転中心に六角形の貫通孔３８が形成され、当該貫通孔３８に六角レンチ状の回転軸２７を挿入して固定した構成となっている。なお、回転軸２７は、別部品ではなく基端部３７と一体的に固定されていてもよい。回転軸２７の回転中心軸線ＣＬは、上ドア部３の厚さ方向に向かって延びる。従って、フック部２３は、上ドア部３の表面と平行な平面上で回転する。回転軸２７は、一端部が貫通孔３８に固定され、部屋の内側へ向かって延び、他端部が上ドア部３から露出すると共にハンドル２８が取り付けられている。フック部２３は、図４に示す第１の姿勢から紙面時計回りに９０°回転させ、図５に示す第２の姿勢となった状態で回転が規制され、図５に示す第２の姿勢から紙面反時計回りに９０°回転させ、図４に示す第１の姿勢となった状態で回転が規制されることが好ましい。
【００３４】
アーム３９は、回転軸２７及び基端部３７から突出して設けられている。具体的に、アーム３９は、基端部３７の外周縁部３７ａの所定の位置から突出すると共に、基端部３７の外周縁部３７ａと接触しないように回転中心軸線ＣＬを取り囲むように延びている。アーム３９は、図４に示す第１の姿勢において、引掛け部２１に対向又は当接する面に形成される円弧状の円弧面部４１を有する。円弧面部４１は、基端部３７の外周縁部３７ａから離間した状態で、当該外周縁部３７ａと対向している。図４に示す第１の姿勢において、アーム３９は、下ドア部６の空間部３４に配置され、円弧面部４１は、引掛け部２１の隆起部３３と当接する。図５に示す第２の姿勢において、アーム３９は、上ドア部３の収容部２４内に配置される。アーム３９の先端３９ａは、上ドア部３内に収容されるため、下ドア部６を開いても、アーム３９は下ドア部６や下固定プレート２２と接触しない。
【００３５】
円弧面部４１の先端部４１ａと回転中心軸線ＣＬまでの距離（図５に示す回転半径Ｒ１）は、当該回転中心軸線ＣＬから引掛け部２１までの距離よりも大きく設定される。また、円弧面部４１の基端部４１ｂと回転中心軸線ＣＬまでの距離（図５に示す回転半径Ｒ２）が、当該回転中心軸線ＣＬから引掛け部２１までの距離よりも小さく設定される。且つ、円弧面部４１は、そのような大きさに設定されている先端部４１ａと基端部４１ｂとを連結することによって形成されている。なお、ここでの回転中心軸線ＣＬから引掛け部２１までの距離とは、図５に示す第２の姿勢での、引掛け部２１の中で最も回転中心軸線ＣＬから離れている部分と、当該回転中心軸線ＣＬとの間の距離である。本実施形態では、回転中心軸線ＣＬから隆起部３３の下面までの距離に該当する。
【００３６】
円弧面部４１の回転中心軸線ＣＬからの回転半径は、アーム３９の先端３９ａから基端３９ｂに向かって徐々に小さくなる。すなわち、回転中心軸線ＣＬと円弧面部４１の所定箇所との間の距離を回転半径Ｒｎとした場合、回転半径Ｒｎは、先端３９ａから基端３９ｂに向かうに従って徐々に小さくなる。例えば、先端３９ａにおける回転半径Ｒ１と基端３９ｂにおける回転半径Ｒ２とを比較した場合、回転半径Ｒ２の方が小さい。また、前述のように、回転半径Ｒ１は、第２の姿勢での回転中心軸線ＣＬから引掛け部２１の隆起部３３の下面までの距離より大きく、回転半径Ｒ２は、当該距離より小さい。
【００３７】
ハンドル２８は、円板に切欠部２８ａを形成することによって構成される。ハンドル２８は、フック部２３の回転中心軸線ＣＬから偏心させた状態で、回転軸２７に固定される。図４に示す第１の姿勢においては、ハンドル２８は、下端部が召し合わせ部よりも上方に配置される。切欠部２８ａは、図５に示す第２の姿勢としたときに、下ドア部６と重なる部分を切欠くことによって形成される。これによって、第２の姿勢としたときも、ハンドル２８が下ドア部６と接触することが防止される。
【００３８】
ここで、図４及び図５を参照して、連結固定部７の動作について説明する。まず、上ドア部３及び下ドア部６が一体に連結される第１の姿勢（図４）から、連結を解除する第２の姿勢（図５）とする場合について説明する。利用者は、ハンドル２８を紙面時計回りに回転させる。これによって、回転軸２７に回転力が付与され、フック部２３が回転する。当該回転に伴ってアーム３９の円弧面部４１と引掛け部２１との当接が解除され、上ドア部３と下ドア部６との連結が解除される。更にハンドル２８を回転することによって、図５に示すような第２の姿勢となり、アーム３９は完全に下ドア部６の空間部３４から引き上げられ、先端３９ａは上ドア部３の内部に収納される。
【００３９】
次に、上ドア部３及び下ドア部６の連結が解除された第２の姿勢（図５）から、一体に連結される第１の姿勢（図４）とする場合について説明する。利用者は、ハンドル２８を紙面反時計回りに回転させる。これによって、回転軸２７に回転力が付与され、フック部２３が回転する。当該回転に伴って、アーム３９は下固定プレート２２の貫通部３１から空間部３４へ入り込む。更に回転させることで、アーム３９は、空間部３４と引掛け部２１との間に入り込む。このとき、円弧面部４１の先端部４１ａと回転中心軸線ＣＬまでの距離（回転半径Ｒ１）が、当該回転中心軸線ＣＬから引掛け部２１までの距離よりも大きく設定されているため、アーム３９はスムーズに空間部３４と引掛け部２１との間に入り込むことができる。回転半径Ｒｎは、先端３９ａから基端３９ｂに向かうに従って徐々に小さくなる。従って、円弧面部４１は、引掛け部２１の下面と当接し、引掛け部２１を徐々に上に押し上げる。更に、引掛け部２１には隆起部３３が形成されているため、円弧面部４１と引掛け部２１との接触面積が増大し、下ドア部６が持ち上げられ易くなる。これによって、下ドア部６は回転中心軸線ＣＬ側、すなわち上ドア部３へ引き寄せられる。以上によって、図４に示すような第１の姿勢となり、連結固定部７は、上ドア部３に対して下ドア部６を引き寄せた状態であって、上ドア部３と下ドア部６の間に押圧力を発生させ、当該状態が維持することができる。
【００４０】
上ドア部３と下ドア部６との間に押圧力を発生させることによって、両ドア部３，６間の隙間を無くす効果と、両ドア部３，６間に摩擦力を発生させる効果を得ることができる。摩擦力を発生させることによって、両ドア部３，６間のがたつきを防止することができる。すなわち、通常使用時での開閉時のモーメントが作用する場合や、戸当り等に衝突することによって外力が作用する場合にあっても、摩擦力によって両ドア部３，６間のがたつきを防止することができる。なお、本実施形態において、連結固定部７が上ドア部３と下ドア部との回転方向Ｄ１への相対的な移動を規制する力（押圧力の大きさ、すなわち両ドア部３，６間に発生する摩擦力の大きさによって設定される）は、ある程度の回転力で（一体となった）上下分割ドア１を回転させた場合であっても上ドア部３と下ドア部６とが離間しない大きさに設定されることが好ましい。
【００４１】
図１、図２及び図６を参照して、簡易係脱機構８について説明する。図６は、図１に示すＶＩ−ＶＩ線に沿った断面図である。簡易係脱機構８は、回転方向Ｄ１における上ドア部３と下ドア部６との位置を一致させることで、上ドア部３と下ドア部６とを連結可能である。また、簡易係脱機構８は、上ドア部３及び下ドア部６の何れか一方をいずれか他方に対して相対的に回転させることで連結状態を解除可能である。簡易係脱機構８は、下ドア部６の上端部１８に設けられたマグネット部５１と、上ドア部３の下端部１６に設けられた金属製のマグネット受け部５２と、を備えている。
【００４２】
マグネット部５１は、マグネットローラー５３と、マグネットローラー５３を支持すると共に収容する収容部５４と、を備えている。収容部５４は、下ドア部６の上端部１８に埋設されている。収容部５４の上端側のフランジ部５４aの上面は、下ドア部６の上端面１８ａから露出している。マグネット受け部５２は、金属製のキャッチプレートによって構成されている。マグネット受け部５２は、プレート部５６と、マグネットローラー５３を受けるように湾曲したキャッチ部５７と、を備えている。プレート部５６の下面は、上ドア部３の下端面１６ａから露出している。上ドア部３と下ドア部６とが回転方向Ｄ１において同じ位置となったとき、マグネットローラー５３は、プレート部５６の先端のガイド部５６ａにガイドされてキャッチ部５７に入り込む。マグネットローラー５３とキャッチ部５７とが磁力によって連結される。これによって、上ドア部３と下ドア部６とが軟係止される。更に、上ドア部３に対して下ドア部６を相対的に回転させると、磁力が解放されてマグネットローラー５３はキャッチ部５７から容易に外れ、これによって上ドア部３と下ドア部６との連結状態が容易に解除される。
【００４３】
簡易係脱機構８が上ドア部３と下ドア部との回転方向Ｄ１への相対的な移動を規制する力（マグネットにより生じる力の大きさ、すなわち両ドア部３，６間に発生する摩擦力の大きさによって設定される）は、ある程度の回転力で（一体となった）上下分割ドア１を回転させた場合に、上ドア部３と下ドア部６とが離間する大きさに設定されることが好ましい。連結固定部７が上ドア部３と下ドア部６を一体に固定することを目的としているのに対し、簡易係脱機構８は、下ドア部６を戸当たりＦに固定し、上ドア部３のみを開閉可能な状態としたときに、上ドア部３の開放時に当該上ドア部３を下ドア部６に軟係止することを目的としているためである。ただし、上ドア部３と下ドア部６を連結固定部７で一体に固定しているときに、簡易係脱機構８は、引寄せ機構３６による両ドア部３，６の連結の補助として作用することが可能である。
【００４４】
次に、本実施形態に係る上下分割ドア１の作用・効果について説明する。
【００４５】
本実施形態に係る上下分割ドア１によれば、上ドア部３は上ヒンジ部２に支持され、下ドア部６は下ヒンジ部４に支持されるため、上ドア部３と下ドア部６は、それぞれが独立して開閉可能である。すなわち、上ドア部３を閉めた状態にて、下ドア部６を開けた状態とすることができる。これによって、開けた状態の下ドア部６により床直上の通風が可能となると共に、閉じた状態の上ドア部３により視線を防止することができる。
【００４６】
また、連結固定部７によって、上ドア部３及び下ドア部６を一体に連結することができる。通風要望は季節によってかわるので、その機能が不用のときは、上ドア部３と下ドア部６とが一体になり簡単に普通のドアになる。連結固定部７は、上ドア部３に対して下ドア部６を引き寄せてこれらの間に押圧力を発生させた状態で連結させる機構である。これによって、下ドア部６が垂れ下がったり、ドア部同士が前後にぐらつかない。また、ドア部同士が同面で納まる。以上によって、通風を得るためにドアを開放しても、内部に視線を通さず、上ドア部３と下ドア部６との連結時には、ずれやがたつき等を発生させず、上ドア部３と下ドア部６とを一体とすることができる。
【００４７】
また、連結固定部７は、下ドア部６に設けられた引掛け部２１と、上ドア部３に設けられ、引掛け部２１に引っ掛かった第１の姿勢から引っ掛かりを解除した第２の姿勢まで可動するフック部２３と、を備え、該フック部２３には、第１の姿勢で引掛け部２１を上ドア部３に向けて引き寄せる引寄せ機構３６が設けられている。このような構成により、フック部２３を引掛け部２１に係合させ、引き寄せ機構３６により引掛け部２１を引き寄せるだけで容易に下ドア部６を上ドア部３に引き寄せた状態で固定することができる。
【００４８】
また、引寄せ機構３６は、フック部２３の基端部３７に連結されて上ドア部３に枢支される回転軸２７と、該回転軸２７及び基端部３７から突出して設けられて引掛け部２１に引っ掛かるアーム３９と、を備えている。また、アーム３９は、第１の姿勢において引掛け部２１に対向又は当接する面に形成される円弧状の円弧面部４１を有し、円弧面部４１の回転中心軸線ＣＬからの回転半径Ｒｎは、アーム３９の先端３９ａから基端３９ｂに向かって小さくなっている。当該フック部２３を回転させることにより、フック部２３を引掛け部２１に引掛けた第１の姿勢と解除した第２の姿勢との間で容易に姿勢変更をすることができるものとなる。また、円弧面部４１の先端部４１ａと回転中心軸線ＣＬまでの距離が当該回転中心軸線ＣＬから引掛け部２１までの距離よりも大きく設定されるため、アーム３９がスムーズに引掛け部２１に引っ掛かる。一方、円弧面部４１の基端部４１ｂと回転中心軸線ＣＬまでの距離が、当該回転中心軸線ＣＬから引掛け部２１までの距離よりも小さく設定されるため、引掛け部２１を円弧面部４１の基端部４１ｂ側に当接させることで、円弧面部４１が引掛け部２１を持ち上げる状態となる。また、このように設定された先端部４１ａと基端部４１ｂとを円弧状に連結することによって円弧面部４１が形成されており、円弧面部４１の回転中心軸線ＣＬからの回転半径Ｒｎは、アーム３９の先端３９ａから基端３９ｂに向かうにつれてＲ２からＲ１へとその大きさが徐々に小さくなっている。円弧面部４１がこのように構成されることにより、引掛け部２１にフック部２３を引掛けた状態でさらにフック部２３を引掛け方向に回転させると、円弧面部４１が引掛け部２１に当接することとなる。その後、さらにフック部２３を回転させることにより、円弧面部４１が引掛け部２１を持ち上げることとなる。これによって、引掛け部２１がフック部２３の回転中心軸線ＣＬ側に引き寄せられ、ひいては下ドア部６が上ドア部３に引き寄せられることとなる。
【００４９】
また、引掛け部２１には、円弧面部４１に対向／当接する位置に隆起部３３が設けられている。当該隆起部３３が円弧面部４１に接触するため、当該引掛け部２１と円弧面部４１との接触面積が増大することとなり、これにより、より容易に（小さな力で）円弧面部４１による引掛け部２１の持ち上げ状態を実現できることとなる。
【００５０】
また、上ドア部３の下端部１６に突出部１７が設けられ、下ドア部６の上端部１８に欠込み部１９が設けられている。このような構成によって、上ドア部３と下ドア部６とを一体に固定した状態において、上ドア部３と下ドア部６とが対向する部分の隙間から光、風などが漏れることを防止することができる。また、突出部１７と欠込み部１９とが係合して上下のドア部は一体となるため、上ドア部３は、当該欠込み部１９を超えて回転することができない。これによって、上ドア部３の回転具合を調整することで、下ドア部６の回転範囲を限定することができ、２つのドア部が全く無関係に全範囲に亘って回転することを防止することができる。本実施形態では、図３に示すように、上ドア部３の部屋の外側の縁部から下方に向けて突出部１７が形成され、下ドア部６の部屋の外側の縁部が切り欠かれることで欠込み部１９が形成されている。このような位置関係によって、下ドア部６を戸当たりＦに固定した際、上ドア部３の突出部１７が欠込み部１９に移動を妨げられないため、上ドア部３のみを開閉することができる。一方、上ドア部３が開いている際に下ドア部６のみを閉めようとした場合、下ドア部６の欠込み部１９が上ドア部３の突出部１７と干渉するため、下ドア部６のみを閉めることが出来ない構成となる。
【００５１】
また、上下分割ドア１は、回転方向Ｄ１における上ドア部３と下ドア部６との位置を一致させることで、上ドア部３と下ドア部６とを連結可能とすると共に、上ドア部３に対して下ドア部６相対的に回転させることで連結状態を解除可能とする簡易係脱機構８を更に備えている。これら上ドア部３及び下ドア部６を頻繁に上下一体状態と上下分離状態を変更する際には、上記連結固定部７を操作することが面倒となる。しかし、簡易係脱機構８を併せて設けることにより、容易にこれら一時的な上下一体状態／上下分離状態を実現することができる。
【００５２】
例えば、下ドア部６が開放状態であって戸当たりＦに固定されている時、簡易係脱機構８によって上ドア部３を下ドア部６に対して連結状態とすることで、当該簡易係脱機構８は、上ドア部３の開放状態の維持や固定のための戸当たりの役目を果たす。上ドア部３は開放状態を継続的に保つことが出来、風によって上方子ドアが突然に閉まったりする危険を防止できる。更に、レバーハンドルを引けば、その機構は解除方向に働き、下ドア部６は動かないまま、簡単に上ドア部３のみを閉めることができる。
【００５３】
また、簡易係脱機構８は、下ドア部６の上端部１８に設けられたマグネット部５１と、上ドア部３の下端部１６に設けられた金属製のマグネット受け部５２とを備えている。これによって、容易に簡易係脱機構８を構成することができると共に、上下一体状態／上下分離状態の変更を容易に行うことができる。
【００５４】
［第２実施形態］
図７を用いて第２実施形態に係る上下分割ドアについて説明する。図７は、第２実施形態に係る上下分割ドアの連結固定機構１００を示す断面図である。図７（ａ）は上ドア部３と下ドア部６の連結が解除された状態を示し、図７（ｂ）は上ドア部３と下ドア部６とが一体に連結された状態を示す。連結固定機構１００は、上ドア部３に形成される空間部１０１と、空間部１０１の上下に設けられた雌螺子部１０２，１０３と、下ドア部６に形成される雌螺子部１０４と、雌螺子部１０２，１０３，１０４に螺合される雄螺子部材１０６と、雄螺子部材１０６に固定された操作部１０７と、を備えている。上ドア部３と下ドア部６を連結する場合、操作部１０７を回転させて雄螺子部材１０６の下端を、下ドア部６の雌螺子部１０４に螺合する。螺合を進めていくと、下ドア部６は上ドア部３に引き寄せられ、上ドア部３と下ドア部６との間に押圧力が発生し、当該状態が維持される。
【００５５】
また、上ドア部３には、上ドア部３及び下ドア部６を一体とさせた状態において、上ドア部３の下端部と下ドア部６の上端部との間の継ぎ目を覆うカバー部１０９が設けられている。このような構成によって、上ドア部３と下ドア部６とを一体に固定した状態において、召し合わせ部の隙間から光、風などが漏れることを防止することができる。また、継ぎ目がカバー部１０９で覆われた状態で上下のドア部は一体となるため、上ドア部３は、当該カバー部１０９を超えて下ドア部６を回転させることができない。これによって、上ドア部３の回転具合を調整することで、下ドア部６の回転範囲を限定することができ、２つのドア部が全く無関係に全範囲に亘って回転することを防止することができる。なお、カバー部１０９は、下ドア部６側に設けてもよい。
【００５６】
［第３実施形態］
図８を用いて第３実施形態に係る上下分割ドアについて説明する。図８は、第３実施形態に係る上下分割ドアの連結固定機構３００を示す断面図である。図８（ａ）は上ドア部３と下ドア部６とが一体に連結された状態を示す断面図であり、図８（ｂ）はドア部の厚さ方向から見た図である。連結固定機構３００は、ドア部の厚さ方向における一方側に設けられた留金機構３０１と、他方側に設けられた支持機構３０２と、を備えている。留金機構３０１は、例えば工具箱などに適用される留め金であり、下ドア部６に設けられる爪部３０３と、上ドア部３に設けられるフック機構３０４によって構成される。留金機構３０１は、下ドア部６を上ドア部３側に引き寄せることができる。支持機構３０２は、上ドア部３及び下ドア部６の連結時において、厚さ方向の移動を規制するものである。具体的に、支持機構３０２は、下ドア部６に設けられるハンドル部３０６と、上ドア部３に設けられる被押圧部３０７と、を備えている。ハンドル部３０６のハンドル３０８は、円板の一部に切欠部３０８ａを形成することによって構成される。切欠部３０８ａを下方に向けておくことで、被押圧部３０７がハンドル部３０６に押圧され、これによって、上ドア部３と下ドア部６とが厚さ方向に支持される。また、切欠部３０８ａを上方に向けておくことで、被押圧部３０７の押圧が解除される。上ドア部３と下ドア部６を連結する場合、留金機構３０１及び支持機構３０２の両方をロックする。これによって、下ドア部６は上ドア部３に引き寄せられ、上ドア部３と下ドア部６との間に押圧力が発生する。また、ロックを解除することで、上ドア部３と下ドア部６の連結が解除される。
【００５７】
本発明は、上述の実施形態に限定されるものではない。
【００５８】
例えば、上述の各実施形態における連結固定部について、上ドア部３に設けられる機構と下ドア部６に設けられる機構とを逆にしてもよい。例えば、第１実施形態において、上ドア部３に引掛け部を設け、下ドア部６にフック部を設けることによって、相対的に下ドア部６を上ドア部３に引き寄せてもよい。
【００５９】
また、簡易連結機構について、下ドア部６にマグネット受け部５２を設け、上ドア部３にマグネット部５１を設けてもよい。また、簡易連結機構は、上ドア部３と下ドア部６を軟係止し、容易に連結及び解除できるものであれば特に限定されない。上述の実施形態ではマグネットローラーを用いたが、例えば、ローラー機構を有しないマグネット、マグネットを用いないローラーキャッチ、あるいはラッチなどを用いてもよい。
【００６０】
また、上ドア部３と下ドア部６との召し合わせ部において、突出部、欠込み部、カバー部の形状や配置や大きさは特に限定されない。また、これらの構成が用いられておらず、上ドア部３の下端面及び下ドア部６の上端面が平面であってもよい。
【００６１】
上ドア部３と下ドア部６とが一体に連結された状態において、上ドア部３の下端面と下ドア部６の上端面が互いに密着していてもよく、あるいは一部で密着していてもよい。例えば、第１実施形態において、下固定プレートと上固定プレートのみで密着しており、上ドア部３の下端面と下ドア部６の上端面が僅かに離間していてもよい。上ドア部３と下ドア部６が全体として密着している場合は、上ドア部３と下ドア部６の全体的に押圧力が発生する。一部で密着している場合は、当該部分で押圧力が発生する。いずれの場合においても、上ドア部３と下ドア部６との間のがたつきは防止される。
【００６２】
上述の実施形態に対し、上ドア部と下ドア部を入れ替えた構成を採用してもよい。すなわち、下ドア部の方が上ドア部よりも大きい構成である。この場合、上ドア部が通風用のドアとして機能し、下ドア部が目隠し用のドアとして機能する。なお、上ドア部は、下端が目の高さより上になる位置とし、高さサイズを狭くしてもよい。また、この構成では、上ドア部を開放用とすることによって、チャイルドロックや、ペット侵入防止という効果をえることができる。
【００６３】
また、ラッチやドアノブを上ドア部と下ドア部の両方に設けてもよい。下ドア部にラッチやドアノブある場合、チャイルド（ペット）防護柵として機能させることができる。
【符号の説明】
【００６４】
１…上下分割ドア、２…上ヒンジ部、３…上ドア部、４…下ヒンジ部、６…下ドア部、７，１００，３００…連結固定部（連結固定手段）、８…簡易係脱機構、１７…突出部、１９…欠込み部、２１…引掛け部、２３…フック部、３３…隆起部、３６…引寄せ機構、２７…回転軸（回転中心部）、３９…アーム、４１…円弧面部、５１…マグネット部、５２…マグネット受け部、１０９…カバー部。
【図１】
0005808920.tif 000002
【図２】
0005808920.tif 000003
【図３】
0005808920.tif 000004
【図４】
0005808920.tif 000005
【図５】
0005808920.tif 000006
【図６】
0005808920.tif 000007
【図７】
0005808920.tif 000008
【図８】
0005808920.tif 000009